(57)【要約】【課題】複数の人物を撮影する場合、各人物の顔画像の様子、比較が容易な撮影装置を提供する。【解決手段】撮像手段と、撮像した画像を表示するモニタと、撮像した画像から顔検出する顔検出手段を備えた撮影装置であって、顔検出手段により複数の顔を検出したときは、検出した各顔画像を拡大して同時に上記モニタに表示する表示制御手段を備えた。【選択図】図２
2010130266.tif 000002
【特許請求の範囲】
【請求項１】
撮像手段と、撮像した画像を表示するモニタと、撮像した画像から顔検出する顔検出手段を備えた撮影装置であって、
顔検出手段により複数の顔を検出したときは、検出した各顔画像を拡大して同時に上記モニタに表示する表示制御手段を備えたことを特徴とする撮影装置。
【請求項２】
請求項１記載の撮影装置は、撮影した画像を画像ファイルとして保存するメモリ手段を備え、上記顔検出手段は、画像ファイルをメモリ手段に保存する際に、検出した顔画像に関する情報を画像ファイルと共に上記メモリ手段に保存する撮影装置。
【請求項３】
請求項１記載の撮影装置は、撮影毎に顔検出手段が顔検出して検出した顔画像に関する情報を画像ファイルと共に上記メモリ手段に保存する一連撮影モードを有し、
上記表示制御手段は、上記一連撮影モードで撮影した画像ファイルを再生するときは、それらの画像ファイルの上記顔画像に関する情報から最多検出顔画像数を求めてモニタの表示領域を分割する数及び顔画像の表示位置を設定し、上記メモリ手段から画像ファイルを読み出す毎に、その画像ファイルの顔画像検出情報に基づいて顔画像を切り出して対応する分割表示領域に表示する撮影装置。
【請求項４】
請求項３記載の撮影装置において、上記一連撮影モードによる撮影が終了したときに、上記一連撮影モードで撮影した画像ファイルを再生する撮影装置。
【請求項５】
請求項３又は４記載の撮影装置において、上記表示制御手段は、一連撮影モードで撮影した画像ファイルを表示するときは、画像ファイル毎に顔画像を上記最多検出顔画像数の画像ファイルの顔画像と関連付けて対応する分割表示領域に表示する撮影装置。
【請求項６】
請求項５記載の撮影装置において、上記表示制御手段は、分割表示領域に表示する顔画像が存在しないときは、存在しない旨を識別する情報をその分割表示領域に表示する撮影装置。
【請求項７】
請求項３乃至６のいずれか一項記載の撮影装置はマニュアル操作手段を備え、上記表示制御手段は、上記一連撮影モードで撮影した画像ファイルを再生するときは、上記マニュアル操作手段が操作される毎にコマ送り再生する撮影装置。
【請求項８】
撮影した画像をモニタで再生する画像再生方法であって、
撮影した画像の中から顔画像を検出する段階と、
複数の顔画像を検出したときは、検出した各顔画像を拡大して同時に上記モニタに表示する段階とを含むことを特徴とする画像再生方法。
【発明の詳細な説明】
【技術分野】
【０００１】
本発明は、顔検出機能及び撮影した画像を再生機能を備えた撮影装置及び画像再生方法に関する。
【背景技術】
【０００２】
従来、デジタルカメラにおいて、被写体の顔を検出して検出した顔に対して合焦させる顔検出機能が知られている（特許文献１）。被写体に複数の人物が含まれる場合、検出した複数の顔毎に合焦させて撮影するものが知られている。また、撮影した画像を表示するときに、任意の領域を任意の倍率で拡大表示し、その領域、倍率を記憶して、次回は簡単にその領域、倍率で拡大表示するデジタルカメラも知られている（特許文献１）。
【特許文献１】特開２００４-５１５０７２号公報
【発明の開示】
【発明が解決しようとする課題】
【０００３】
しかしながら、複数の人物が含まれる同一のシーンを複数枚撮影し、それらの画像ファイルを撮影したデジタルカメラのモニタ画面で再生して、人物がよく写っている画像ファイルを選択する場合、同一の画像ファイル内においては各顔画像の写りの善し悪しを認識できたとしても、他の画像ファイルの顔画像との比較は困難であった。
【０００４】
そこで本発明は、複数の人物を撮影する場合、各人物の顔画像の様子、比較が容易な撮影装置を提供することを目的とする。
【課題を解決するための手段】
【０００５】
本発明は、上記目的を達成する本発明は、撮像手段と、撮像した画像を表示するモニタと、撮像した画像から顔検出する顔検出手段を備えた撮影装置であって、顔検出手段により複数の顔を検出したときは、検出した各顔画像を拡大して同時に上記モニタに表示する表示制御手段を備えたことに特徴を有する。
【０００６】
実際的には、撮影した画像を画像ファイルとして保存するメモリ手段を備え、上記顔検出手段は、画像ファイルをメモリ手段に保存する際に、検出した顔画像に関する情報を画像ファイルと共に上記メモリ手段に保存する。
【０００７】
好ましくは、撮影毎に顔検出手段が顔検出して検出した顔画像に関する情報を画像ファイルと共に上記メモリ手段に保存する一連撮影モードを有し、上記表示制御手段は、上記一連撮影モードで撮影した画像ファイルを再生するときは、それらの画像ファイルの上記顔画像に関する情報から最多検出顔画像数を求めてモニタの表示領域を分割する数及び顔画像の表示位置を設定し、上記メモリ手段から画像ファイルを読み出す毎に、その画像ファイルの顔画像検出情報に基づいて顔画像を切り出して対応する分割表示領域に表示する。
【０００８】
分割表示領域による表示は、一連撮影モードによる撮影が終了したときに、上記一連撮影モードで撮影した画像ファイルを再生するときに行う。
【０００９】
好ましくは、上記表示制御手段は、一連撮影モードで撮影した画像ファイルを表示するときは、画像ファイル毎に顔画像を上記最多検出顔画像数の画像ファイルの顔画像と関連付けて対応する分割表示領域に表示する。写っていない人物がいるかなどが他の画像ファイルとの関連で簡単に認識できる。
この場合、上記表示制御手段は、分割表示領域に表示する顔画像が存在しないときは、存在しない旨を識別する情報をその分割表示領域に表示することが好ましい。
【００１０】
より実際的には、マニュアル操作手段を備え、上記表示制御手段は、上記一連撮影モードで撮影した画像ファイルを再生するときは、上記マニュアル操作手段が操作される毎にコマ送り再生する。
【００１１】
方法に関する本発明は、撮影した画像をモニタで再生する画像再生方法であって、撮影した画像の中から顔画像を検出する段階と、複数の顔画像を検出したときは、検出した各顔画像を拡大して同時に上記モニタに表示する段階とを含むことに特徴を有する。
【発明の効果】
【００１２】
本発明によれば、撮影した画像ファイル中に含まれる顔画像を検出して、モニタの分割領域に拡大表示するので、顔の映り具合を容易に視認できる。
【発明を実施するための最良の形態】
【００１３】
本発明の最良の実施形態について、図１乃至図４を参照して説明する。図１は、本発明を適用したデジタルカメラの主要構成要素をブロックで示すブロック図である。
【００１４】
このデジタルカメラは、焦点調節レンズ群ＬＦを含む撮影レンズＬで形成された被写体像を撮像素子１１で撮像、つまり画像信号に光電変換する。撮像素子１１が撮像した画像信号は、信号処理回路１３において、増幅され、デジタル信号に変換され、ホワイトバランス等の補正が施される。この処理が施された画像信号を制御回路１５は、モニタ１７に表示し、所定フォーマットの画像ファイルに変換して、画像記憶手段としてのメモリ１９に記録する。メモリ１９としては、内蔵フラッシュメモリ、フラッシュメモリカードが一般的である。
【００１５】
制御回路１５は、画像コントラスト法によるＡＦ（自動焦点調節）処理、つまり撮像素子１１が出力した画像信号に基づき駆動回路２５を介してモータＭを駆動し撮影レンズＬの焦点調節レンズ群ＬＦを移動しながら焦点状態をサーチし、検出した合焦位置まで焦点調節レンズ群ＬＦを移動させる。焦点調節レンズ群ＬＦ、撮像素子１１、制御回路１５、駆動回路２５が自動焦点調節装置に含まれる。
【００１６】
また、制御回路１５には、撮影、再生モードや、コマ送り、ファイル削除などの操作をする操作スイッチ２１、シャッタボタンに連動する第１スイッチＳＷ１、第２スイッチＳＷ２が入力されている。制御回路１５は、第１スイッチＳＷ１がオンするとＡＦ処理、測光及び露出値設定処理などを実行し、第２スイッチＳＷ２がオンする撮影処理を実行して撮影したメモリ１９に書き込む。
【００１７】
操作スイッチ２１は、静止画撮影、静止画再生を切り替える操作機能を有する。つまり制御回路１５は、操作スイッチ２１の操作に応じて、静止画撮影モードと、メモリ１９に記録された静止画ファイルをモニタ１７に表示する静止画再生モードとに切り替わる。
【００１８】
制御回路１５は、撮影した画像ファイルから顔画像を検出する顔画像検出機能を備えている。顔検出処理は、画像全体の中における肌色の検出、画像の中から人の顔における目、鼻、又は口などの特徴点の検出、又は顔の輪郭の抽出等、従来公知の顔、顔画像の認識方法による。
【００１９】
次に、本実施形態の特徴である、顔画像拡大表示処理について図２を参照して説明する。図は、デジタルカメラ１０により６名の人物１乃至６の集合写真を連続２枚撮影し、モニタ１７に表示し、それぞれ画像ファイルとしてメモリ１９に保存し、また保存した画像ファイルを再生する際のモニタ画面１８の様子を示している。人物には数字１乃至６を付してある。図２（Ａ）は、６名の人物全員の顔を認識できた場合を示し、同図（Ｂ）は人物１、３の顔画像を認識できず、人物５が目をつぶっていた場合を示している。この実施形態の場合は、検出した顔画像検出情報、例えば顔画像領域、エリア、位置、又はアドレスに関する情報が画像ファイルと共にメモリ１９に保存されている。
【００２０】
６名の顔を認識できた場合（図２（Ａ））は、モニタ画面１８を６個に等分割して、各分割領域に６名の人物１乃至６の顔画像が拡大表示されている（図２（Ｃ））。この実施形態の場合は、この６名が最多の人物数として認識される。
【００２１】
２枚目の画像ファイルを再生するときは、２名の顔画像を認識できず、人物５が目をつぶっていた場合（図２（Ｂ））は、その２名の顔画像領域に対応する分割表示領域は「非検出」の表示がされ、人物５の顔画像領域には枠に色づけされている（図２（Ｄ））。この分割拡大表示を観察することで、人物の顔映りや目をつぶっていた人物を容易に視認できる。
【００２２】
図２（Ｅ）は、図２（Ｄ）に示したように顔画像を検出できなかった人物の顔画像を他の画像ファイルから切り出して補完し、全ての人物１乃至６の顔画像を表示した実施例である。
【００２３】
なお、人物と分割表示領域との位置関係は、原画像ファイルにおける人物の位置にできるだけ近い領域、又は位置関係となるように設定することが好ましい。
【００２４】
このデジタルカメラによる静止画撮影及び再生処理について、図３及び図４に示したフローチャートを参照して説明する。この実施形態では、複数枚撮影モードが選択されているものとする。説明を簡単にするために、複数枚は２枚とするが、３枚以上任意の枚数設定できる。
【００２５】
スタート処理に入ると、まずスルー表示処理を実行する（Ｓ１０１）。スルー表示とは、所定フレームレートで撮影（モニタモード撮影）し、撮影した画像をモニタ１７に表示する処理を継続することである。スルー表示処理を継続しながら、第１スイッチＳＷ１がオンするのを待つ（Ｓ１０３：ＮＯ、Ｓ１０１）。
【００２６】
第１スイッチＳＷ１がオンすると（Ｓ１０３：ＹＥＳ）、モニタモード撮影した画像データから顔画像検出し（Ｓ１０５）、検出した顔画像の中で最も近距離に相当する顔画像をフォーカスエリアに設定してＡＦ処理を実行し、さらにＡＥ処理を実行する（Ｓ１０７）。そうして第２スイッチＳＷ２がオンしたかどうかをチェックし（Ｓ１０９）、オンしていなければ（Ｓ１０９：ＮＯ）ステップＳ１０１に戻ってステップＳ１０１乃至Ｓ１０９の処理を繰り返す。
【００２７】
第２スイッチＳＷ２がオンすると（Ｓ１０９：ＹＥＳ）、ステップＳ１０７のＡＥ処理で検出したシャッタ速度及び絞り値により本画像撮影処理を実行する（Ｓ１１１）。そうして、撮影した画像データを所定フォーマットの画像ファイルに変換してメモリ１９に書き込むとともに、ステップＳ１０５で検出した顔画像ファイル及び顔画像検出情報をメモリ１９に書き込む（Ｓ１１３）。続いて第１スイッチＳＷ１がオンしているかどうかチェックし（Ｓ１１５）、オンしていれば（Ｓ１１５：ＹＥＳ）、ステップＳ１０５、Ｓ１０７同様の顔検出処理（Ｓ１１７）、ＡＦ＆ＡＥ処理（Ｓ１１９）を実行し、さらに第２スイッチＳＷ２がオンしているかどうかチェックし（Ｓ１２１）、オンしていれば（Ｓ１２１：ＹＥＳ）、本画像撮影処理（Ｓ１１１）、撮影画像ファイル及び顔画像検出情報を保存する処理（Ｓ１１３）を繰り返す。
【００２８】
第１スイッチＳＷ１がオフしたら(Ｓ１１５：ＮＯ）、画像表示処理（Ｓ１２３）により一連撮影した画像ファイルを表示して終了する（ＥＮＤ）。なお、一連撮影は、第１スイッチＳＷ１（Ｓ１１５）の状態にかかわらず、設定枚数撮影したら終了する構成にしてもよい。
【００２９】
次に、ステップＳ１２３で実行される画像表示処理について、さらに図４に示したフローチャートを参照してより詳細に説明する。ステップＳ１０５乃至Ｓ１２１のループ処理で撮影した一グループの画像ファイルにおける顔画像検出情報を読み出す(Ｓ２０１）。非検出エリア補完オン設定がされているか否かチェックする（Ｓ２０３）。非検出エリア補完とは、一グループの画像ファイル中、顔検出した最多検出顔画像数を基準として、顔検出数が最多数よりも少なかった画像ファイルを再生するときは他の画像ファイルからエリア情報を補完すること、つまり、他の画像の撮影時には検出されたがこの画像の撮影時には検出されなかった顔画像を、当該顔画像が検出された他の画像ファイルのエリア情報を用いることにより、この画像から切り出して表示できるようにする処理をいう。
【００３０】
非検出エリア補完オン設定の場合（Ｓ２０３：ＹＥＳ）は、顔画像検出情報が無い分割表示エリアに対応する顔画像を他の画像ファイルの顔画像検出情報を用いて補完する（Ｓ２０５）。例えば、図２（Ｄ）のように人物１、３の顔画像を検出できなかった画像ファイルの場合は人物１、３の顔画像検出情報を他の画像ファイルから読み出して補完する。そうして、その画像ファイルを表示する際に、補完した検出エリア情報によりこの画像から当該エリアを読み出して表示、例えば図２（Ｅ）のように表示される。そうしてステップＳ２０７では読み出し画像番号を一枚目に設定する。
【００３１】
非検出エリア補完オン設定で無い場合（Ｓ２０３：ＮＯ）は、顔画像検出情報が無い分割表示エリアには、「非検出」の表示をする（図２（Ｄ））。
【００３２】
以上のように一連撮影した画像ファイルにつき顔画像検出情報の比較及び補完操作を実行した後に、一枚目の画像ファイルから再生表示を開始する。
【００３３】
一連撮影した一枚目の画像ファイルを読み出すと（Ｓ２０９）、各顔画像検出領域を切り出してモニタ１７に表示する(Ｓ２１１）。図２の実施例では、６名の顔画像をモニタ画面１８の６分割領域に表示する。
【００３４】
続いて、検出フラグに基づく表示をする（Ｓ２１３）。この検出フラグは、顔画像検出情報に基づき、顔画像非検出に関するフラグであり、図２（Ｄ）に示したように「非検出」表示するか、図２（Ｅ）に示したように、補完表示される。他の実施例としては、例えば、顔画像検出していても、その顔画像が目をつぶっているかどうかの検出及びその結果に関する検出フラグを追加して、目をつぶっていると検出したときは人物の画像フレームを色つき（図では太く）表示する。
【００３５】
ユーザ操作（使用者による操作）を待ち（Ｓ２１５）、コマ送り操作がされたら、読み出し画像番号をアップ又はダウンし（Ｓ２１７）、設定された読み出し画像番号の画像を読み出す（Ｓ２０９）。
【００３６】
また、使用者がファイル操作をしたとき（Ｓ２１５：ファイル操作）、例えば操作スイッチ２１を操作したきは、その操作に応じた処理を実行して(Ｓ２１９）画像読み出し処理（Ｓ２０９）に戻る。ファイル操作としてファイル削除操作がなされたときは、表示していた画像の画像番号の画像ファイルをメモリ１９から削除し、その画像番号の前又は後の画像ファイルを読み出してモニタ１７に表示する。
【００３７】
以上の通り本発明のデジタルカメラ１０によれば、集合写真を一連撮影すれば、再生時には各人物の拡大顔画像がモニタ画面１８に表示されるので、各人物の表情、写り具合、目をつぶっているかどうかを容易に視認できる。
【００３８】
図示実施形態では人物を６名としたが、７名以上の場合であれば、表示の分割数をさらに増やす。等分割できない分割数となる場合は、最多検出顔画像数の顔画像を表示できる最小の等分割数にして、使用しない分割表示領域はその旨が分かるような表示をすることが好ましい。
１個の分割表示領域が小さくなり過ぎる場合は、使用者の操作によって１個又は隣接する複数の分割表示領域を拡大表示できるようにすることが好ましい。６個の分割表示領域は変えずに、スクロール又はコマ送りによって７個目以降の分割表示領域が表示されるようにしてもよい。
【００３９】
また、図示実施形態では一連撮影後に分割画面に顔画像を表示したが、撮影前に、顔画像を検出して検出した顔画像を分割画面に表示してもよい。この実施形態によれば、撮影前に人物の表情を拡大して観察できるので、失敗をより少なくすることができる。この実施形態では、モニタ画面表示を通常の表示(図２（Ａ））と分割画面表示（図２（Ｃ））とにスイッチ操作又は自動で定期的に切り替え可能にすることが好ましい。
【図面の簡単な説明】
【００４０】
【図１】本発明を適用したデジタルカメラの主要構成部材を示したブロック図である。
【図２】同デジタルカメラで撮影した人物の集合写真の表示例を示す図である。
【図３】同デジタルカメラの一連撮影処理の実施形態をフローチャートで示した図である。
【図４】同デジタルカメラの画像表示処理をフローチャートで示した図である。
【符号の説明】
【００４１】
１１  撮像素子（撮像手段）
１３  信号処理回路
１５  制御回路
１７  モニタ
１８  モニタ画面
１９  メモリ（画像データ保存手段）
２１  操作スイッチ
２５  駆動回路
Ｌ  撮影レンズ
ＬＦ  フォーカスレンズ群
ＳＷ１  第１スイッチ
ＳＷ２  第２スイッチ
【図１】
2010130266.tif 000003
【図２】
2010130266.tif 000004
【図３】
2010130266.tif 000005
【図４】
2010130266.tif 000006